(57)【特許請求の範囲】
【請求項１】
被包装物を包装する包装材又は該包装材の一構成となるフィルムを、所定周波数の超音波が付与されるホーンと受け材とで挟み込んだ状態で、前記ホーンに超音波を付与することでフィルムを溶かして該フィルム上に溝状の切断補助線を形成する切断補助手段形成方法であって、前記受け材は、ホーンと共にフィルムを挟み込む先端部の少なくとも一方向の幅が先端に向かうにつれて幅狭に形成され、前記フィルムは、前記切断補助線を形成する予定のライン上に印刷を不連続に施し、又は濃淡の印刷を交互に施したものとされ、該フィルムを前記受け材及びホーンが挟み込み、超音波が付与されたホーンを前記切断補助線を形成する予定のライン上を移動させることにより、印刷部分又は濃い印刷部分に深い溝を形成し、印刷されていない部分又は淡い印刷部分に浅い溝を形成して、深い溝と浅い溝とを交互に設けた切断補助線を形成することを特徴とする切断補助手段形成方法。
【請求項２】
ホーンと受け材とに挟まれたフィルムに対して受け材の先端部の幅方向と直交する方向の張力を作用させつつホーンに超音波を付与する請求項１に記載の切断補助手段形成方法。
【請求項３】
前記フィルムに長尺フィルムを採用して該長尺フィルムを長手方向に間欠搬送し、停止状態にある長尺フィルムを、先端部の幅方向がフィルムの長手方向と一致するように配置された受け材とホーンとで挟み込み、該長尺フィルムに対して長手方向と直交する方向の張力を作用させつつホーンに超音波を付与し、長尺フィルムの長手方向と直交する方向に延びる切断補助線を形成する請求項２に記載の切断補助手段形成方法。
【請求項４】
前記受け材の先端部は、幅方向の両面が鈍角をなして前記幅が先端に向かうにつれて幅狭に形成されている請求項１ないし３のいずれか一項に記載の切断補助手段形成方法。
【請求項５】
被包装物を包装する包装材又は該包装材の一構成となるフィルムを、所定周波数の超音波が付与されるホーンと受け材とで挟み込んだ状態で、前記ホーンに超音波を付与することでフィルムを溶かして該フィルム上に溝状の切断補助線を形成した包装材であって、切断補助線上に印刷を不連続に施し、又は濃淡の印刷を交互に施したものとされ、印刷部分又は濃い印刷部分に深い溝を形成し、印刷されていない部分又は淡い印刷部分に浅い溝を形成することにより、深い溝と浅い溝とを交互に設けた切断補助線が形成されていることを特徴とする包装材。
【請求項６】
前記印刷又は濃淡の印刷は、フィルムに施された文字及び／又は図案である請求項５に記載の包装材。
【発明の詳細な説明】
【技術分野】
【０００１】
本発明は、食品などの被包装物を包装する包装材又は該包装材の一構成となるフィルムに、該フィルムを切断する（引き裂く）ための切断補助線を形成する切断補助手段形成方法、この切断補助手段が形成された包装材に関する。
【背景技術】
【０００２】
従来から、おにぎり、寿司等の米飯類や、サンドイッチ、菓子パン、惣菜パン等のパン類等、あるいは菓子類等の食品を包装する包装材として、包装形態に応じて種々のタイプのものが提供されているが、その一つとして包装材全体又は包装材の一部を樹脂製のフィルムで構成したものがある。
【０００３】
かかる包装材は、一般的に当該包装材を構成するフィルム上に線状又は帯状の切断補助手段が設けられており、該切断補助手段でフィルムを切り裂くことで開封できるようにされている。
【０００４】
ここで、おにぎりを包装する包装材について説明すると、かかる包装材は、幅方向に分割可能に構成された外フィルムと、海苔や薄焼き卵、畳鰯等のシート状食品を介して外フィルムに重ね合わされ、幅方向に分離可能に構成された内フィルムとを備えており、シート状食品を取り囲むように外フィルムの外周端部と内フィルムの外周端部とが溶着されている。
【０００５】
前記外フィルムには、幅方向と直交する方向に延びる切断補助手段が設けられている。これに対し、内フィルムは、幅方向に並列に配置された一対のフィルムで構成されたり、外フィルムと同様に、一枚のフィルムに対して幅方向と直交する方向に延びる切断補助手段が設けられたりしている。
【０００６】
上記構成の包装材は、内フィルム上におにぎりを載置した状態で該内フィルムを内側にして幅方向と直交する方向に二つ折りにし、対向する内フィルムの端部同士を溶着することで、おにぎりを包装した包装体とされる。
【０００７】
そして、該包装体は、外フィルムを切断補助手段で切り裂いて幅方向に分割する（二分割にする）とともに、内フィルムを幅方向に分離させることで、おにぎりとシート状食品との間から内フィルムが引き抜かれるようになっている。これにより、内フィルムを介して分離していたおにぎりとシート状食品とが一体的になり、これらを一緒に食することができるようになっている。
【０００８】
そして、切断補助手段の主流としてカットテープが採用されていたが、カットテープは接着剤等を介してフィルムに接着されるため、食品を電子レンジ等で加熱するような場合（レンジアップ体の場合）に、接着剤が軟化してカットテープがフィルムから剥がれたり、接着剤が溶け出したりしてしまう虞があった。
【０００９】
このような問題を解決するに当たり、切断補助手段をミシン目によって設けることも提案されている。しかし、ミシン目は、フィルムに対して切り目を破線状に設けたものであることから、フィルムは切り目で内外が連通してしまい、該フィルムを使用した包装体は衛生上好ましくないだけでなく、品質を低下させるものとなる。
【００１０】
そこで、ミシン目（切り目）を塞ぐ閉塞用フィルムをフィルムに貼着することもできる。しかし、そうすると、開封しづらくなるだけでなく、また、カットテープの場合と同様に、食品を電子レンジ等で加熱するような場合に、接着剤が軟化して、閉鎖用フィルムがフィルムからはがれたり、接着剤が溶け出したりしてしまう虞があった。
【００１１】
このため、切断補助手段として、ハーフカットを採用することが提案されている。かかるハーフカットは、超音波等で包装材になるフィルムを溶かして該フィルム上に形成される細長い溝状のものである。その結果、包装材（フィルム）は、ハーフカットと対応する部分が薄肉になっている。
【００１２】
これにより、ハーフカットを採用した包装材（フィルム）は、内外が連通することがないため、水分等の進入がなく食品を衛生上好ましい状態で、しかも品質を低下させることなく包装できる。そして、フィルムに対してハーフカットの延びる方向と直交する方向に引張力を作用させたときに、その力がハーフカットと対応する部分に集中的に作用する（応力集中が発生する）ため、該フィルムを薄肉で脆弱になった部分で容易に切断し、包装体を開封することができるとされている。
【００１３】
しかしながら、厚みの薄い包装材（フィルム）にハーフカットが形成された場合、包装体を開封する際に、包装材（フィルム）をハーフカットに沿って切断できない場合があった。すなわち、フィルムの厚みが薄くなると、フィルム上に形成されるハーフカット（溝）の深さが浅くなるため、フィルムを切断する（包装体を開封する）際に、フィルムがハーフカットに誘導されずに該ハーフカットに沿って切断できない場合があった。
【００１４】
そこで、本出願人は、フィルムの厚みに関係なく、所定の線上で切断可能な切断補助線をシート状のフィルム上に形成することのできる切断補助線形成方法を特許文献１に開示した。
【００１５】
この切断補助線形成方法は、図１０（ａ）に示す如く、食品を包装する包装材又は該包装材の一構成となる長尺フィルムＦを、所定周波数の超音波が付与されるホーン２００と受け材２１０とで挟み込んだ状態で、前記ホーン２００に超音波を付与することで長尺フィルムＦを溶かし、該長尺フィルムＦ上に溝状の切断補助線Ｌを形成するものである。
【００１６】
ホーン２００には、長尺フィルムＦの上面に接触する平坦な接触部２０２が設けられている。また、受け材２１０は、ホーン２００と共に長尺フィルムＦを挟み込む先端部２１２の少なくとも一方向の幅が先端に向かうにつれて幅狭（山形形状）に形成され、ホーン２００と受け材２１０とに挟み込まれた長尺フィルムＦに対して受け材２１０の先端部２１２の幅方向と直交する方向の張力を作用させつつホーン２００に超音波を付与することにより、長尺フィルムＦ上に受け材２１０の先端部２１２の幅方向と直交する方向に延びる切断補助線Ｌを形成する。
【００１７】
この切断補助線形成方法によれば、ホーン２００と受け材２１０とで長尺フィルムＦを挟んだ状態にしてホーン２００に超音波を付与することにより、ホーン２００の振動エネルギーによって長尺フィルムＦが溶け、その溶けた部分が受け材２１０の先端部２１２の両側（幅方向の両側）に押し退けられることになり、図１０（ｂ）に示す如く、受け材２１０の先端部２１２が存在する部分と対応する部分が薄肉になる一方で、その薄肉部分の両側に同一形状に盛り上がった隆起部Ｍ，Ｍが形成される。
【００１８】
このような長尺フィルムＦは、所定の長さで切断されることによって包装体となり、この包装体が被包装物を包装し、所定の部位がシールされると包装材となる。この包装体は、切断補助線Ｌが形成されたものであり、この切断補助線Ｌと直交する方向に引っ張られると、厚みが周囲よりも極端に薄肉になった切断補助線Ｌと対応する部分に引張力（張力）が集中して作用し、薄肉になって脆弱になった部分（切断補助線Ｌ上）で引き裂かれる。
【００１９】
そして、包装体が引き裂かれるに際し、切断補助線Ｌの延びる方向に対して交差する方向に包装材（フィルム）が裂けようとしても、切断補助線Ｌの両側に強度の増した隆起部Ｍ，Ｍが同一形状に形成されているため、包装材（フィルム）は切断補助線Ｌに沿って裂けることになる。
【先行技術文献】
【特許文献】
【００２０】
【特許文献１】特許第４２６４１２３号公報
【発明の概要】
【発明が解決しようとする課題】
【００２１】
ところで、特許文献１に記載された切断補助線形成方法によって形成された切断補助線Ｌに沿って引き裂くという作用・機能も損なわないようにしつつ、開封性をさらに向上させるためには、切断補助線Ｌが深く形成された部位と浅く形成された部位とを交互に設け、開封のための引張力に強弱を付けるようにすることで実現することができる。切断補助線Ｌの深さを変更するには、長尺フィルムＦ上を移動しているホーン２００に付与される超音波の周波数を移動途中で変更することが考えられる。
【００２２】
しかし、ホーン２００に付与される超音波の周波数を変更する信号を出力したところで、ホーン２００が瞬時に変更された周波数に追従して振動できないことから、ホーン２００に付与される周波数を変更することでは、長尺フィルムＦに深い溝と浅い溝が交互に設けられた切断補助線Ｌを形成することができない。
【００２３】
そこで、本発明は、フィルムに形成された切断補助線に深い溝と浅い溝とを交互に設けるための切断補助手段形成方法、及びこの切断補助線が形成された包装材を提供することを課題とする。
【課題を解決するための手段】
【００２４】
本発明に係る切断補助手段形成方法は、被包装物を包装する包装材又は該包装材の一構成となるフィルムを、所定周波数の超音波が付与されるホーンと受け材とで挟み込んだ状態で、前記ホーンに超音波を付与することでフィルムを溶かして該フィルム上に溝状の切断補助線を形成する切断補助手段形成方法であって、前記受け材は、ホーンと共にフィルムを挟み込む先端部の少なくとも一方向の幅が先端に向かうにつれて幅狭に形成され、前記フィルムは、前記切断補助線を形成する予定のライン上に印刷を不連続に施し、又は濃淡の印刷を交互に施したものとされ、該フィルムを前記受け材及びホーンが挟み込み、超音波が付与されたホーンを前記切断補助線を形成する予定のライン上を移動させることにより、印刷部分又は濃い印刷部分に深い溝を形成し、印刷されていない部分又は淡い印刷部分に浅い溝を形成して、深い溝と浅い溝とを交互に設けた切断補助線を形成することを特徴としている。
【００２５】
この切断補助手段形成方法によれば、前記受け材は、ホーンと共にフィルムを挟み込む先端部の少なくとも一方の幅が先端に向かうにつれて幅狭に形成され、ホーンに超音波を付与することによって、ホーンと受け材とに挟み込まれたフィルムに受け材の先端部の幅方向と直交する方向に延びる切断補助線を形成するようにしている。
【００２６】
ホーンと受け材とでフィルムを挟んだ状態にしてホーンに超音波が付与されることにより、ホーンの振動エネルギーによってフィルムが溶け、その溶けた部分が受け材の先端部の両側（幅方向の両側）に押し退けられることになる。これにより、ホーンに先端部の存在する部分と対応する部分に薄肉の切断補助線が形成される一方で、その薄肉部分の両側に盛り上がった隆起部が形成される。
【００２７】
特筆すべきは、フィルムは、切断補助線を形成する予定のライン上に印刷が不連続に施され、又は濃淡の印刷が交互に施されたものとされ、ホーンが切断補助線を形成する予定のライン上を移動することにより、印刷部分又は濃い印刷部分は、印刷されていない部分又は淡い印刷部分よりも高温に発熱し、フィルムが多く溶けることで、深い溝が形成される。したがって、逆に、印刷されていない部分又は淡い印刷部分は、印刷部分又は濃い印刷部分よりも低温に発熱し、フィルムが少なく溶けることで、浅い溝が形成される。このように、印刷が不連続に施され、又は濃淡の印刷が交互に施されることで、深い溝と浅い溝とが交互に設けられた切断補助線が形成される。
【００２８】
このフィルムは、切断補助線と直交する方向に引っ張られると、厚みが周囲の厚みと極端に異なる切断補助線と対応する部分に引張力（張力）が集中して作用し、薄肉になって脆弱になった部分（切断補助線上）で切断されることになる。このようにして、フィルムが切断されるに際し、切断補助線の延びる方向に対して交差する方向にフィルムが裂けようとしても、切断補助線の両側に強度の増した隆起部が形成されているため、フィルムは切断補助線に沿って引き裂かれることになる。従って、上記フィルムが包装材全体或いは包装材の一構成となったときに、該包装材を切断補助線に沿って体裁よく引き裂くことができる。
【００２９】
そして、切断補助線は、深い溝と浅い溝とを交互に設けたものされることにより、強弱が付けられるようにフィルムを引き裂くことができ、このフィルムは、引き裂く際の操作性が良好にされている。
【００３０】
また、前記本発明に係る切断補助手段形成方法において、ホーンと受け材とに挟まれたフィルムに対して受け材の先端部の幅方向と直交する方向の張力を作用させつつホーンに超音波を付与することが好ましい。
【００３１】
この切断補助手段形成方法によれば、ホーンと受け材とでフィルムを挟んだ状態で（フィルムを溶かすときに）、該フィルムに対して受け材の先端部の幅方向と直交する方向に張力を作用させておくことで、フィルムは、張力を作用させる二つの作用点間（切断補助線を形成する予定のライン）の両側が内側（作用点間側）に寄ろうとするため、受け材の両側（薄肉になった部分の両側）に押し退けられたフィルムの溶けた部分（隆起部）が互いに接近することになる。これにより、互いに接近した隆起部間に細長く且つ深い溝と浅い溝が交互に設けられた切断補助線が形成されることになる。
【００３２】
また、前記本発明の切断補助手段形成方法において、前記フィルムに長尺フィルムを採用して該長尺フィルムを長手方向に間欠搬送し、停止状態にある長尺フィルムを、先端部の幅方向がフィルムの長手方向と一致するように配置された受け材とホーンとで挟み込み、該長尺フィルムに対して長手方向と直交する方向の張力を作用させつつホーンに超音波を付与し、長尺フィルムの長手方向と直交する方向に延びる切断補助線を形成してもよい。
【００３３】
長尺フィルムを長手方向に搬送すると、その搬送でフィルムの上流側と下流側との間で張力が作用する場合があるが、このような場合に、切断補助線を長尺フィルムの長手方向（搬送方向）と直交する方向に延びるように形成すると、長尺フィルムの搬送中に該長尺フィルムが切断補助線で裂けてしまうことがある。
【００３４】
従って、長尺フィルムを長手方向に搬送する場合、長尺フィルムの長手方向と直交する方向に延びるように切断補助線を形成することは通常、なされていなかったが、上記方法によれば、長尺フィルムに対して長手方向（搬送方向）と直交する方向の張力を作用させるようにしているため、切断補助線を長尺フィルムの長手方向と直交する方向に延びるように形成しても、長尺フィルムが裂けてしまうことがない。これにより、長尺フィルムの供給パターンの選択性が増えるため、種々形態の包装材（包装材の製造）を対象にすることができる。
【００３５】
また、前記本発明の切断補助手段形成方法において、前記受け材の先端部は、幅方向の両面が鈍角をなして前記幅が先端に向かうにつれて幅狭に形成されていることが好ましい。
【００３６】
この切断補助手段形成方法によれば、受け材の先端部を鈍角に形成されることにより、受け材の先端部が刃先のようにならないことから、切断補助線を形成する際にフィルムが不用意に切断されてしまうことを防止することができ、また、受け材とホーンとでフィルムを挟んで溶かす際に、受け材の先端部の他方側に押し退けられる量が多くなり、他方側の隆起部の盛り上がりを大きくし、強度をより高めることができると共に、溝状に形成される切断補助線の深さを深くすることができる。従って、このフィルムは、より確実に切断補助線に沿って切断されるものとなる。
【００３７】
また、本発明に係る包装材は、被包装物を包装する包装材又は該包装材の一構成となるフィルムを、所定周波数の超音波が付与されるホーンと受け材とで挟み込んだ状態で、前記ホーンに超音波を付与することでフィルムを溶かして該フィルム上に溝状の切断補助線を形成した包装材であって、切断補助線上に印刷を不連続に施し、又は濃淡の印刷を交互に施したものとされ、印刷部分又は濃い印刷部分に深い溝を形成し、印刷されていない部分又は淡い印刷部分に浅い溝を形成することにより、深い溝と浅い溝とを交互に設けた切断補助線が形成されていることを特徴としている。
【００３８】
この包装材によれば、深い溝と浅い溝とを交互に設けた切断補助線が形成されていることにより、開封に際して強弱が付けられるように包装材を引き裂くことができ、この包装材は、引き裂く際の操作性が良好にされている。
【００３９】
また、前記本発明の包装材の位置態様として、印刷又は濃淡の印刷は、フィルムに施された文字及び／又は図案であってもよい。
【００４０】
この包装材によれば、深い溝と浅い溝とを交互に設けるためだけの印刷が施されないことから、パッケージのデザインを損ねないようにすることができる。
【発明の効果】
【００４１】
本発明によれば、印刷部分又は濃い印刷部分に深い溝を形成し、そして、印刷されていない部分又は淡い印刷部分に浅い溝を形成し、深い溝と浅い溝とが交互に設けられた切断補助線を形成する切断補助手段形成方法及びこのような切断補助線を形成した包装材が提供されることにより、切断補助線に沿って引裂くことができるという機能を備えつつ、開封性を向上させることができるという優れた効果を奏し得る。
【図面の簡単な説明】
【００４２】
【図１】本発明の一実施形態によって形成された切断補助線を有する包装材を示し、一部拡大断面図を含む概略分解斜視図である。
【図２】本発明の一実施形態によって形成された切断補助線を有する包装材を示す概略斜視図である。
【図３】本発明の一実施形態によって形成された切断補助線を有する包装材によって被包装材を包装した包装体を示す概略斜視図である。
【図４】本発明の一実施形態によって切断補助線を形成する製造設備の概念を示す概略斜視図である。
【図５】本発明の一実施形態によって切断補助線を形成する製造設備における切断補助線形成部のホーン及び受け材を示す概略斜視図である。
【図６】本発明の一実施形態によって切断補助線を形成する製造設備における切断補助線形成部のホーン及び受け材を示す平面図である。
【図７】本発明の別の実施形態によって切断補助線を形成する製造設備における切断補助線形成部のホーン及び受け材の変形例を示す概略斜視図である。
【図８】本発明のさらに別の実施形態によって切断補助線を形成する製造設備における切断補助線形成部のホーン及び受け材の変形例を示す概略斜視図である。
【図９】本発明のさらに別の実施形態によって切断補助線を形成する製造設備の概念を示す概略斜視図である。
【図１０】（ａ）は従来の切断補助線形成方法を示す要部拡大断面図、（ｂ）は従来の切断補助線形成方法によって形成された切断補助線を示す要部拡大断面図である。
【発明を実施するための形態】
【００４３】
以下、本発明の一実施形態について図１ないし図６を参照しつつ説明する。なお、本実施形態では、おにぎりを包装するための米飯加工食品用包装材（以下、単に包装材という）の製造過程において、該包装材の一構成となるフィルム（包装材用フィルム）に切断補助線を形成する場合を一例に説明することとする。
【００４４】
ここで包装材の一構成となるフィルムに対する切断補助線を形成する方法（包装材の製造過程）の説明に先立ち、包装材について概略説明する。
【００４５】
かかる包装材は、図１及び図２に示す如く、幅方向に分離可能に構成された内フィルム１０と、シート状食品Ｓを介して内フィルム１０に重ね合わされる外フィルム１５とを備え、シート状食品Ｓを取り囲むように内フィルム１０の外周端部と外フィルム１５の外周端部とが互いに溶着されている。なお、各図において、ドットを付した領域が溶着される領域、或いは溶着された領域を示している。
【００４６】
前記内フィルム１０及び外フィルム１５は、一枚のフィルムで構成されており、同じサイズの長方形状に形成されている。本実施形態に係る内フィルム１０及び外フィルム１５は、長手方向と直交する方向（短手方向）の略中央を通って長手方向に延びる１本又は図示しない２本の切断補助線１１，１６を形成したものであり、この切断補助線１１，１６が深い溝と浅い溝とを交互に設けたものとされている。なお、深い溝と浅い溝とは、切断補助線１１，１６の全長に亘って、又は部分的に設けられる。
【００４７】
いずれにしても、内フィルム１０及び外フィルム１５は、切断補助線１１，１６を形成する予定のラインに印刷が不連続に施され又は濃い印刷と淡い印刷とが交互に施されることにより（印刷部分、濃い印刷部分を塗りつぶした状態に図示する。）、深い溝と浅い溝とが交互に形成される。浅い溝であっても当初の厚み（内フィルム１０及び外フィルム１５になる包装材用フィルムの厚み）よりも薄肉にされ、深い溝は、さらに薄肉にされている。ただし、深い溝が形成された部位であっても、所定の力が加えられない限り、引き裂かれない厚さは確保されている。
【００４８】
なお、印刷は、図示したように等間隔に施すほか、内外フィルム１０，１５にデザインとして施された文字や図案などを利用してもよく、さらに、濃い印刷の部位、淡い印刷の部位、印刷をしない部位を組み合わせてもよい。
【００４９】
そして、本実施形態に係る内フィルム１０及び外フィルム１５は、後述する切断補助手段形成方法によって、切断補助線１１，１６の両側に該切断補助線１１、１６に沿って盛り上がった隆起部１２，１２；１７，１７が形成されている。該内フィルム１０及び外フィルム１５の隆起部１２，１２；１７，１７は、切断補助線１１，１６と対応する部位（薄肉になった部位）とは反対に、当初の厚み（内フィルム１０、外フィルム１５になる包装材用フィルムの厚み）よりも厚肉になっている。これにより、内フィルム１０及び外フィルム１５は、切断補助線１１，１６の深さが確保されるとともに、該切断補助線１１，１６の両側の強度が他の部分よりも強くなっている。
【００５０】
なお、印刷が施された部位は、印刷が施されていない部位よりも深い溝が形成されると共に高い隆起部１２，１２；１７，１７が形成され、印刷が施されていない部位は、浅い溝が形成されると共に低い隆起部が形成され、あるいは、濃い印刷が施された部位は、淡い印刷が施された部位よりも深い溝が形成されると共に高い隆起部１２，１２；１７，１７が形成され、淡い印刷が施された部位は、浅い溝が形成されると共に低い隆起部１２，１２；１７，１７が形成される。
【００５１】
そして、内フィルム１０及び外フィルム１５は、海苔等のシート状食品Ｓを介して重ね合わされた状態で、シート状食品Ｓを取り囲むように溶着した包装材１とされる。これにより、本実施形態に係る包装材１は、外周の略全周に亘って内フィルム１０と外フィルム１５とが互いに溶着された溶着部（図１、図２においてドットを付した領域）が形成されている。
【００５２】
また、上記包装材１は、切断補助線１１，１６の配置に対応するように、内フィルム１０及び外フィルム１５の長手方向の両端部に開封用のノッチ（開封起点となるノッチ）Ｎが形成されている。かかるノッチＮは、内フィルム１０及び外フィルム１５を部分的に切り欠いた切欠き１３，１８が重なって形成されている。本実施形態において、ノッチＮ（内フィルム１０及び外フィルム１５のそれぞれの切欠き１３，１８）は、内フィルム１０及び外フィルム１５を重ね合わせて外周端部同士を溶着させた後に、両フィルム１０，１５の端部を一緒に打ち抜くことで形成されている。
【００５３】
本実施形態に係る包装材１は、以上の構成からなり、続いて、上記構成の包装材１による包装方法と開封方法について説明する。
【００５４】
まず、図２の仮想線に示す如く、内フィルム１０上におにぎりＡを載置し、該おにぎりＡを包み込むように包装材１全体を長手方向に二つ折りにする。すなわち、内フィルム１０の長手方向の両端部同士が重なり合うように包装材１全体を長手方向に二つ折りにする。このように包装材１を二つ折りにすることで、内フィルム１０の長手方向の両端部同士が重なり合うとともに、内フィルム１０の短手方向の両端部のそれぞれが重なり合った状態になる。
【００５５】
そして、図３に示す如く、包装材１全体を二つ折りにすることによって重なり合った（対向した）内フィルム１０の三方の端部同士を溶着（シール）すると包装体２となる。このとき、おにぎりＡを包装した状態で内外が連通しないように、内フィルム１０の長手方向の両端部同士は、ノッチＮ（切欠き１３，１８）全体が含まれるように溶着される。また、ノッチＮ内に２本の切断補助線１１，１６の端部が位置している。
【００５６】
なお、内フィルム１０及び外フィルム１５の各切欠き１３，１８は、該切欠き１３，１８を画定する両フィルム１０，１５のエッジと切断補助線１１，１６とが連続するように形成されるが、内フィルム１０の長手方向の両端部同士を溶着する領域に切断補助線１１，１６が含まれると、開封性が悪くなるため、内フィルム１０の長手方向の両端部同士の溶着は、可能な限り切断補助線１１，１６を含めないように行われる。
【００５７】
そして、上述の如く、内フィルム１０の端部同士を溶着すると、包装材１は、内フィルム１０でおにぎりＡとシート状食品Ｓとを分離した状態（隔絶した状態）でおにぎりＡを包装した包装体２になる。
【００５８】
この包装体２を開封するには、ノッチＮの両側を持って包装体２を短手方向に引っ張り（ノッチＮの両側を離間させるように引っ張る）、その引張力をノッチＮに集中させる。そうすると、ノッチＮ（切欠き１３，１８を画定するエッジと切断補助線１１，１６との境界（交点））が起点となり、内フィルム１０及び外フィルム１５のそれぞれが、切断補助線１１，１６に沿って引き裂かれる（切断される）ことになる。
【００５９】
本実施形態に係る包装材１は、内フィルム１０及び外フィルム１５の切断補助線１１，１６の両側に強度の増した隆起部１２，１２；１７，１７が形成されているため（図１の拡大断面図参照）、上述の如く内フィルム１０及び外フィルム１５が引き裂かれる際に、その裂け目（切断線）が隆起部１２，１２；１７，１７を乗り越えて切断補助線１１，１６から外れることがなく、両フィルム１０，１５が切断補助線１１，１６に沿ってきれいに引き裂かれることになる。
【００６０】
そして、内フィルム１０及び外フィルム１５のそれぞれが切断補助線１１，１６に沿って切断されることで、包装体２全体（内フィルム１０及び外フィルム１５）が短手方向で分離される（二分割される）ことになる。
【００６１】
そして、特筆すべきは、内フィルム１０及び外フィルム１５の切断補助線１１，１６が深い溝と浅い溝とを交互に形成したものとされていることにより、内フィルム１０及び外フィルム１５を引き裂く力に強弱が付けられ、引き裂く力に強弱が付けられていないときよりも、開封の操作性が良好にされている。
【００６２】
そして、上述のように包装体２の端部を短手方向に引っ張ることで、内フィルム１０及び外フィルム１５のそれぞれが二分割されるのに併せ、包装体２の短手方向の一端側と他端側とが離間する結果、二分割された内フィルム１０がおにぎりＡとシート状食品Ｓとの間から引き抜かれる。これにより、おにぎりＡとシート状食品Ｓとが一体になって食することのできる状態となる。
【００６３】
次に、図４ないし図６を参照しつつ、内フィルム１０になる長尺なフィルム、及び外フィルム１５になる長尺なフィルムに対して切断補助線１１，１６を形成する設備を備えた包装材１の製造設備について説明する。
【００６４】
かかる製造設備は、外フィルム１５の連続体である長尺なフィルム（以下、第一長尺フィルムという）Ｆ１を長手方向に搬送する搬送径路（以下、第一搬送径路という）Ｒ１と、内フィルム１０の連続体である長尺なフィルム（以下、第二長尺フィルムという）Ｆ２を長手方向に搬送する搬送径路（以下、第二搬送径路という）Ｒ２とを備えている。
【００６５】
第一搬送経路Ｒ１、第二搬送径路Ｒ２には、それぞれ第一長尺フィルムＦ１、第二長尺フィルムＦ２に切断補助線１６，１１を形成する第一切断補助線形成部２０ａ、第二切断補助線形成部２０ｂと、第一長尺フィルムＦ１上に第二長尺フィルムＦ２を重ね合わせるフィルム重合部２２と、第一長尺フィルムＦ１と第二長尺フィルムＦ２とを溶着するフィルム溶着部２３と、溶着された第一長尺フィルムＦ１と該第二長尺フィルムＦ２とを所定サイズ（長さ）に切断し、枚葉状の包装材１にするフィルム切断部２４とがこれらの順に設けられている。また、第一搬送路Ｒ１には、第一切断補助線形成部２２ａとフィルム重合部２２との間において、第一長尺フィルムＦ１上にシート状食品Ｓを載置する食品載置部２１が設けられている。
【００６６】
そして、第一切断補助線形成部２０ａ、第二切断補助線形成部２０ｂは、それぞれ超音波によって第一長尺フィルムＦ１、第二長尺フィルムＦ２に対して、溝状の切断補助線１６，１１を形成するようになっている。なお、第一長尺フィルムＦ１、第二長尺フィルムＦ２には、切断補助線１６，１１を形成する予定の幅方向のライン上において、印刷が施されている部位と印刷が施されていない部位とが交互に設けられ（印刷が不連続に施され）、或いは、濃い印刷が施されている部位と淡い印刷が施されている部位とが交互に設けられている。
【００６７】
そして、第一切断補助線形成部２０ａ、第二切断補助線形成部２０ｂは、図５にも示す如く、所定周波数の超音波が付与されるホーン２００と、該ホーン２００に対向するように配置される受け材２１０とを備えている。第一切断補助線形成部２０ａ、第二切断補助線形成部２０ｂは、第一長尺フィルムＦ１、第二長尺フィルムＦ２をホーン２００と受け材２１０とで挟み込んだ状態で、ホーン２００に超音波を付与することで第一長尺フィルムＦ１、第二長尺フィルムＦ２を溶かして該第一長尺フィルムＦ１、第二長尺フィルムＦ２上に溝状の切断補助線１６，１１を形成するようになっている。
【００６８】
そして、受け材２１０は、切断補助線１６，１１を形成するように、定位置に配置される受け材本体２１１と、該受け材本体２１１から第一長尺フィルムＦ１、第二長尺フィルムＦ２を介してホーン２００側に突出した第二フィルム接触部２１２とを備えている。
【００６９】
本実施形態に係る第二フィルム接触部２１２は、図５の一部拡大図に示す如く、幅方向の両面２１２ａ，２１２ｂが鈍角をなすように形成されている。すなわち、本実施形態に係る第二フィルム接触部２１２は、受け材本体２１１から上向きに突出した各二つの面（幅方向の両面）２１２ａ，２１２ｂが受け材本体２１１側から先端に向かうにつれて互いに接近した傾斜面で構成されており、両傾斜面２１２ａ，２１２ｂの内角θが鈍角に設定されている。
【００７０】
そして、受け材２１０は、幅方向の両面２１２ａ，２１２ｂがつき合って先端に向けて形成される稜線２１２ｃが第一長尺フィルムＦ１、第二長尺フィルムＦ２の幅方向に延びるように配置されている。
【００７１】
第一長尺フィルムＦ１、第二長尺フィルムＦ２の側部において切断補助線１６，１１を形成せず、側部をスクラップとして切除する場合は、受け材２１０の少なくとも第二フィルム接触部２１２は、第一長尺フィルムＦ１、第二長尺フィルムＦ２の幅よりも若干（切除する幅）短く設定されている。
【００７２】
また、第一長尺フィルムＦ１、第二長尺フィルムＦ２に対し、側部をスクラップせずに、切断補助線１６，１１を幅方向に全長に亘って形成する場合は、受け材２１０の第二フィルム接触部２１２は、第一長尺フィルムＦ１、第二長尺フィルムＦ２の幅以上の長さに設定されている。
【００７３】
そして、本実施形態に係る第一切断補助線形成部２０ａ、第二切断補助線形成部２０ｂは、図６に示す如く、ホーン２００と受け材２１０とに挟み込まれた第一長尺フィルムＦ１、第二長尺フィルムＦ２に対して受け材２１０の先端部２１２の幅方向と直交する方向に張力Ｔを作用させるようになっている。すなわち、該第一切断補助線形成部２０ａ、第二切断補助線形成部２０ｂは、受け材２１０及びホーン２００の配置に対応して、第一長尺フィルムＦ１、第二長尺フィルムＦ２に対して幅方向に張力Ｔを作用させる張力発生装置２３０をさらに備えている。かかる張力発生装置２３０は、第一長尺フィルムＦ１、第二長尺フィルムＦ２の幅方向の両端部を把持する一対の把持手段２３１，２３２を備えている。
【００７４】
前記のように、第一長尺フィルムＦ１、第二長尺フィルムＦ２の両側部をスクラップとして切除する場合は、一対の把持手段２３１，２３２は、第一長尺フィルムＦ１、第二長尺フィルムＦ２の各側部を受け材２１０の各端部と隣り合って把持するように構成されている。
【００７５】
また、第一長尺フィルムＦ１、第二長尺フィルムＦ２の両端部をスクラップとして切除しないで全幅に亘って受け材２１０が配置される場合は、図示しないが、各把持手段２３１，２３２は、平面視でコ字形に形成され、受け材２１０の各端部を両側から挟むような位置で第一長尺フィルムＦ１、第二長尺フィルムＦ２の各端部を二箇所ずつ把持するように構成されている。
【００７６】
いずれにしても、前記ホーン２００は、下端に設けられた第一フィルム接触部２０２が第二フィルム接触部２１２の稜線２１２ｃの延びる方向、すなわち第一長尺フィルムＦ１、第二長尺フィルムＦ２の幅方向に、且つ受け材２１０の稜線２１２ｃに沿って往復動可能に設けられている。
【００７７】
そして、第一搬送径路Ｒ１上の食品載置部２１では、図４に示す如く、第一切断補助線形成部２０ａで形成された切断補助線１６上にシート状食品Ｓが配置される。また、フィルム重合部２２では、第一長尺フィルムＦ１上に第二長尺フィルムＦ２が重ね合わされる。
【００７８】
また、前記フィルム溶着部２３では、重なった第一搬送径路Ｒ１及び第二搬送径路Ｒ２上で搬送される第一長尺フィルムＦ１と第二長尺フィルムＦ２との間に介在するシート状食品Ｓを取り囲むように、第一長尺フィルムＦ１と第二長尺フィルムＦ２を溶着する。
【００７９】
また、前記フィルム切断部２４では、第一長尺フィルムＦ１と第二長尺フィルムＦ２とが溶着された領域（シート状食品Ｓを取り囲んだ領域）を包装材１として切り離すようになっている。
【００８０】
次に、本実施形態に係る包装材１の製造方法について説明する。本実施形態では、第一切断補助線形成部２０ａで間欠搬送される第一長尺フィルムＦ１に対して切断補助線１６を形成するとともに、第二切断補助線形成部２０ｂで間欠搬送される第二長尺フィルムＦ２に対して切断補助線１１を形成する。
【００８１】
ここで、第一長尺フィルムＦ１、第二長尺フィルムＦ２に対して切断補助線１６，１１の形成方法について説明する。
【００８２】
第一長尺フィルムＦ１、第二長尺フィルムＦ２には、前記のように、切断補助線１６，１１を形成する予定の幅方向のライン上において、印刷が施されている部位と印刷が施されていない部位とが交互に設けられ、或いは、濃い印刷が施されている部位と淡い印刷が施されている部位とが交互に設けられており、この切断補助線１６，１１を形成する予定のラインが第一切断補助線形成部２０ａ、第二切断補助線形成部２０ｂで停止するように、長さ方向に間欠的に搬送される。
【００８３】
第一切断補助線形成部２０ａ、第二切断補助線形成部２０ｂでは、受け材２１０とホーン２００とによって停止中の長尺フィルムＦ１，Ｆ２を挟み込んだ状態で、張力発生装置２３０で長尺フィルムＦ１，Ｆ２に張力Ｔを作用させつつホーン２００に超音波を発生させることで、長尺フィルムＦ１，Ｆ２を介して受け材２１０に超音波が伝わる結果、図１の一部拡大断面図に示す如く、その振動エネルギーが熱になって長尺フィルムＦ１，Ｆ２が受け材２１０の稜線２１２ｃに沿って溶けることになる。
【００８４】
これに併せ、長尺フィルムＦ１，Ｆ２の溶けた部分が、受け材２１０（第二フィルム接触部２１２）の両側（幅方向両側）に押し退けられて隆起した状態になる。すなわち、本実施形態においては、上述の如く、長尺フィルムＦ１，Ｆ２の幅方向に張力Ｔを作用させるようにしているため、長尺フィルムＦ１，Ｆ２は、長手方向で張力Ｔの作用点側（切断補助線１６，１１を形成する予定位置）に寄ろうとする力が作用する。
【００８５】
その結果、受け材２１０（第二フィルム接触部２１２）によって両側に押し退けられた部分（隆起部１７，１７；１２，１２）が互いに接近することになり、図１の拡大断面図に示す如く、隆起部１７，１７；１２，１２間の間隔が間延びすることなく互いに接近することで、長尺フィルムＦ１，Ｆ２の厚みに関係なく、隆起部１７，１７；１２，１２間に細長く且つ深さが十分に確保された深い溝状の切断補助線１６，１７が形成されることになる。
【００８６】
そして、特筆すべきは、印刷が施された部位又は濃い印刷が施された部位は、印刷が施されていない部位又は淡い印刷が施された部位よりも強く反応するため、ホーン２００が長尺フィルムＦ１，Ｆ２の一方の端部から他方の端部へ移動すると、印刷が施された部位又は濃い印刷が施された部位で深い溝が形成され、印刷が施されていない部位又は淡い印刷が施された部位で浅い溝が形成される。
【００８７】
すなわち、ホーン２００が切断補助線１６，１１を形成する予定のライン上を移動することにより、印刷部分又は濃い印刷部分は、印刷されていない部分又は淡い印刷部分よりも高温に発熱し、長尺フィルムフィルムＦ１，Ｆ２が多く溶けることで、深い溝が形成される。したがって、逆に、印刷されていない部分又は淡い印刷部分は、印刷部分又は濃い印刷部分よりも低温に発熱し、長尺フィルムＦ１，Ｆ２が少なく溶けることで、浅い溝が形成される。このように、印刷が不連続に施され、又は濃淡の印刷が交互に施されることで、深い溝と浅い溝とが交互に設けられた切断補助線１１，１６が形成される。
【００８８】
そして、上述の如く、長尺フィルムＦ１，Ｆ２を間欠搬送させつつ切断補助線１１，１６を形成することで、図４に示す如く、長尺フィルムＦ１，Ｆ２には長手方向の所定間隔毎に切断補助線１６，１１が形成されることとなる。
【００８９】
なお、ホーン２００が長尺フィルムＦ１，Ｆ２の一方の端部から他方の端部へ移動して切断補助線１１，１６を形成した１ピッチ下流側では、ホーン２００が長尺フィルムＦ１，Ｆ２の他方の端部から一方の端部へ戻るように移動して切断補助線１１，１６を形成する。したがって、ホーン２００は、往動と復動とをすることによってそれぞれ切断補助線１１，１６を形成するため、ホーン２００の動作に無駄がないようにされている。
【００９０】
そして、第一長尺フィルムＦ１は、第一搬送径路Ｒ１上で間欠搬送され、下流側の食品載置部２１において、第一長尺フィルムＦ１の切断補助線１６の配置に対応してシート状食品Ｓが載置される。従って、第一長尺フィルムＦ１が間欠搬送されることで、食品載置部２１において、順々に送られてくる第一長尺フィルムＦ１の切断補助線１６に対応して間隔をあけてシート状食品Ｓが配置される。
【００９１】
そして、フィルム重合部２２において、第一長尺フィルムＦ１上に第二長尺フィルムＦ２が重ね合わされる。このとき、第一長尺フィルムＦ１の切断補助線１６と第二長尺フィルムＦ２の切断補助線１１とが一致するように、第一長尺フィルムＦ１上に第二長尺フィルムＦ２が重ね合わされる。このように、外フィルム１５になる第一長尺フィルムＦ１上に内フィルム１０になる第二長尺フィルムＦ２が供給されることで、第一長尺フィルムＦ１と第二長尺フィルムＦ２との間にシート状食品Ｓが配置された状態になる。
【００９２】
そして、フィルム溶着部２３において、重ね合わされた第一長尺フィルムＦ１と第二長尺フィルムＦ２とがシート状食品Ｓを取り囲むように溶着される。そして、フィルム切断部２４で、溶着されて一体となった第一長尺フィルムＦ１と第二長尺フィルムＦ２とが幅方向の溶着部の中心で切断される。この切断に際して、切断補助線１１，１６の両端と対応する部分を切り欠いて、ノッチＮ（切欠き１３，１８）が形成される。これにより、図２に示すような包装材１が完成する。
【００９３】
この包装材１は、例えばおにぎりＡを挟むように二つ折りにされ、折り側以外の三方が溶着されることで図４に示すような包装体２となる。なお、包装材１が二つ折りにされ、三方が溶着された後に、切断補助線１１，１６の両端部を含むようにノッチＮを形成してもよい。
【００９４】
そして、包装体２は、開封するため、ノッチＮの両側を持って包装体２の短手方向に引っ張る。すると、前述したようにノッチＮを開封起点として、切断補助線１１，１６に沿って内フィルム１０と外フィルム１５が引き裂かれる。このとき、切断補助線１１，１６に深い溝と浅い溝が交互に設けられていることにより、引き裂きの張力に強弱が付けられ、開封性が良好にされている。
【００９５】
このようにして、内フィルム１０と外フィルム１５は切断補助線１１，１６で完全に二分割される。従って、内フィルム１０がシート状食品ＳとおにぎりＡとの間から引き抜かれ、シート状食品ＳがおにぎりＡを包むようにして食することができる。
【００９６】
尚、本発明は、上記実施形態に限定されるものではなく、本発明の要旨を逸脱しない範囲内において種々変更を加え得ることは勿論である。
【００９７】
例えば、印刷部分と印刷しない部分、又は濃い印刷部分と淡い印刷部分とは、フィルムの全長に施さず、部分的に施すことにより、深い溝と浅い溝とを部分的に形成してもよい。
【００９８】
また、受け材２１０としては、図７に示すように、回転式のもの（いわゆる、リング）を使用することもできる。この受け材２１０は、外周が第一長尺フィルムＦ１、第二長尺フィルムＦ２に向かうにつれて先細りするように形成され、回転軸が第一長尺フィルムＦ１、第二長尺フィルムＦ２の搬送方向（長さ方向）に向けられる。
【００９９】
そして、この受け材２１０とホーン２００とは、第一長尺フィルムＦ１、第二長尺フィルムＦ２を挟んだ状態で同期して移動し、第一長尺フィルムＦ１、第二長尺フィルムＦ２に長手方向に張力Ｔを作用させつつ、ホーン２００に超音波を付与する。このようにすると、深い溝と浅い溝が交互に設けられた切断補助線１１，１６が形成される。
【０１００】
また、切断補助線１１，１６は、図８に示す如く、第一長尺フィルムＦ１と第二長尺フィルムＦ２の中心線上又は中心線付近で長手方向（搬送方向）に延びるように形成してもよい。この場合は、第一長尺フィルムＦ１と第二長尺フィルムＦ２の切断補助線１６，１１を形成する予定のライン上である中心線上又は中心線付近に印刷が不連続に施され、又は濃淡の印刷が施され、また、受け材２１０として回転式のものが使用される。
【０１０１】
また、本発明によって製造された包装材は、図９に示すように、ピロー包装としても使用することができる。この場合は、搬送径路Ｒの食品載置部２１において、切断補助線形成部２０で形成された切断補助線１１の配置に対応するように、長尺フィルムＦ上に食品Ａが載せられ、食品包装部２２において食品Ａを包むように長尺フィルムＦの両側部を重ね合わせて溶着し、フィルム切断部２４で隣り合っている食品Ａと食品Ａとの間の長尺フィルムＦを幅方向に溶断すると、ピロー包装体が完成する。
【０１０２】
この場合も、長尺フィルムＦの切断補助線を形成する予定のライン上で幅方向に印刷部分と印刷しない部分、又は濃い印刷部分と淡い印刷部分とが施され、受け材２１０とホーン２００とが長尺フィルムＦを挟み、長尺フィルムＦに長手方向に張力Ｔを作用させつつ、ホーン２００に超音波を付与することにより、幅方向に深い溝と浅い溝が交互に設けられた切断補助線１１が形成される。
【０１０３】
また、切断補助線形成部２０と食品載置部２１との間において、切断補助線１１の両端には、切欠き１３が形成され、食品包装部２２において、長尺フィルムＦが食品Ａを包んで両側部が重ね合わされた状態で二つの切欠き１３，１３が重なって、ピロー包装体は開封起点としてのノッチＮを形成したものとされる。
【０１０４】
また、図９に示したピロー包装する装置においても、受け材２１０として回転式のものを使用してもよい。さらに、フィルムＦ１，Ｆ２，Ｆに張力Ｔを作用させないで切断補助線１１，１６を形成してもよい。また、包装体２は、おにぎりを包装したもの以外、レンジアップされるものについて好適に使用することができる。
【符号の説明】
【０１０５】
１…………包装材
１０………内フィルム
１１………切断補助線
１５………外フィルム
１６………切断補助線
２００……ホーン
２１０……受け材
２１２……先端部（第二フィルム接触部）
Ｆ１………（第一）長尺フィルム
Ｆ２………（第二）長尺フィルム
【図１】
0005512388.tif 000002
【図２】
0005512388.tif 000003
【図３】
0005512388.tif 000004
【図４】
0005512388.tif 000005
【図５】
0005512388.tif 000006
【図６】
0005512388.tif 000007
【図７】
0005512388.tif 000008
【図８】
0005512388.tif 000009
【図９】
0005512388.tif 000010
【図１０】
0005512388.tif 000011